(57)【特許請求の範囲】
【請求項１】
前後２枚のフィルム間の底部に逆Ｖ字状の折り込みを入れ、両サイド全体を縦方向にヒートシールすることにより、内容物を充填した際に底側が舟形に開放するように構成して自立性を付与した袋において、上部開口部の横幅方向に対して直角方向から中央に向けて、前後のフィルムをそれぞれ摘むようにして引き寄せて一定の長さだけヒートシールを行うことにより、上部開口部に横幅方向に対して直角方向に長いスパウト挿入口を形成すると共に、この引き寄せてヒートシールを行ったスパウト挿入口の両側に、ハ字状のヒートシールを行い、その上で前記スパウト挿入口内にヒートシール部分が菱形形状をしたスパウトを袋の横幅方向に対して直角方向となるように挿入し、その上でスパウトの菱形形状のヒートシール部分と袋側のスパウト挿入口間をヒートシールした構成の自立袋。
【請求項２】
ハ字状のヒートシールにより形成された三角形状の耳部分において、ハ字状のヒートシール部分を残してその外側の三角形状部分を切除して成る請求項１に記載の自立袋。
【発明の詳細な説明】
【０００１】
【発明の属する技術分野】
本発明は、底部に逆Ｖ字状の折り込みを入れることにより、内容物を充填すると底が舟形に開放して自立する二面体形状の袋（スタンディングパウチ）に対するヒートシール部が舟形形状のスパウトを袋の口の中央に取り付けるヒートシール構造に関するものである。
【０００２】
【従来の技術】
従来の自立袋を図５に示す。この図５において、１は袋本体であって、この袋本体１は、前面２と後面３及び逆Ｖ字状の折り込み４を入れることにより、内容物を充填したときに底部５が舟形に開放する構成である。図中６は口シール、７、７ａはサイドシール、８は底シールである。
【０００３】
【発明が解決しようとする課題】
しかし、従来の上記自立袋にあっては、口シール６及びサイドシール７、７ａがすべて一直線状にヒートシールされていることと、自立性を高めるために袋の素材には剛性の高いものが選択されていることから、内容物を充填しても袋の上半は偏平化する。つまり、両サイドシール７、７ａ方向から見たときの袋の形状は、円錐形状となる。
このため、自立させたときに安定性が悪いと共に、全体的に立体感に乏しいという欠点がある。
本発明の課題は、安定性があり、立体的な外観を呈する自立袋を提供することである。
【０００４】
【課題を解決するための手段】
上記目的を達成するため、請求項１に記載の発明においては、自立袋において、前後２枚のフィルム間の底部に逆Ｖ字状の折り込みを入れ、両サイド全体を縦方向にヒートシールすることにより、内容物を充填した際に底側が舟形に開放するように構成して自立性を付与した袋において、上部開口部の横幅方向に対して直角方向から中央に向けて、前後のフィルムをそれぞれ摘むようにして引き寄せて一定の長さだけヒートシールを行うことにより、上部開口部に横幅方向に対して直角方向に長いスパウト挿入口を形成すると共に、この引き寄せてヒートシールを行ったスパウト挿入口の両側に、ハ字状のヒートシールを行い、その上で前記スパウト挿入口内にヒートシール部分が菱形形状をしたスパウトを袋の横幅方向に対して直角方向となるように挿入し、その上でスパウトの菱形形状のヒートシール部分と袋側のスパウト挿入口間をヒートシールした構成であることを特徴とするものである。
【０００５】
更に請求項２に記載の発明においては、請求項１に記載の自立袋において、ハ字状のヒートシールにより形成された三角形状の耳部分において、ハ字状のヒートシール部分を残してその外側の三角形状部分を切除して成ることを特徴とするものである。
【０００６】
【作用】
袋内に内容物を充填し、充填口を十文字又は底シールに対して直角方向に一文字にヒートシールするか、充填口内にスパウトを挿入してヒートシールを行うときに、袋の中央において両サイドシールの中間（開口部の中間）において、前面と後面を摘むようにして両サイドのヒートシール部分を中央寄りに引き寄せてスパウト挿入口を形成し、ここにスパウトを底シール方向と平行又は直角方向に挿入してヒートシールを行い、更に引き寄せた部分にハ字状のヒートシールを行うことにより、袋は両サイドのヒートシール及び口シール及び底シール、更に直角方向に形成されたヒートシール或いはハ字状のヒートシール部分がリブとなり、自立性が高まると共に、袋の口部には底シールに対して直角方向のヒートシール部分が形成されているため、袋の上半には拡張方向に作用するリブが存在し、これにより偏平化せず、立体化する。
【０００７】
【実施例１】
図４（Ａ）〜（Ｃ）に基づいて請求項１及び２に対応する実施例を詳述する。この実施例は、袋本体４０の充填口４１において、前面４２及び後面４３の中央を摘んで拡張することにより、両サイドのヒートシール４４、４４ａを矢印のように中央に引き寄せて、この摘んだ上縁をヒートシール４５、４５ａを行い、更にこの摘んだ側（前面４２と後面４３の中央）にヒートシール４５、４５ａの内端からハ字状のヒートシール４６、４６ａを行うことにより、（Ｂ）に示すようにスパウト挿入口４７を形成し、ここに菱形形状のヒートシール部４９を形成したスパウト４８を（Ｃ）に示すように、ハ字状のヒートシール４６、４６ａ方向（底シール５３方向）に向けて挿入してヒートシール５１を行い、ハ字状のヒートシール４６、４６ａの外側に形成された三角形状の耳部５２、５２ａを切除したものである。但し、問題がなければ耳部５２、５２ａは切除しないでもよい。図中５３は底シール、５４は折り込みである。
【０００８】
［参考例１］
図１（Ａ）〜（Ｃ）に基づいて参考例１を詳述する。この参考例１は、袋本体１０と前面１１及び後面１２、両サイドシール１３、１３ａ、折り込み１４から成る点は従来の自立袋とその構造が同一である。この袋において、内容物を充填口１５から充填してこの充填口１５をヒートシール（口シール）するときに、図１（Ａ）において矢印方向に両サイドのヒートシール１３、１３ａを中央寄りに引き寄せて（Ｂ）、充填口１５が丁度十文字状になるように形成し、ここに（Ｃ）に示すように十文字状のヒートシール１６を行うものである。図中１７は底シールである。
このように、充填口１５が十文字状にヒートシール１６されると、このヒートシール１６がリブ化されて袋本体１０の上半部において袋本体１０の前面１１と後面１２に広がり方向の力が発生し、偏平化するのが阻止される。この結果、袋は自立安定性を増し、更に立体化する。
【０００９】
［参考例２］
図２（Ａ）〜（Ｃ）に基づいて参考例２を詳述する。この参考例２は、内容物を充填したのち、図２（Ａ）に示すように、袋本体２０の前面２１及び後面２２の中央を矢印方向に引き寄せたのち、袋本体２０の底シール２３方向に対して直角方向に口シール２４を一直線状に行い、更にこの口シール２４の両サイドに（Ｃ）に示すようにハ字状のヒートシール２５、２５ａを行ったものである。なお、このハ字状のヒートシール２５、２５ａにより形成された三角形状の耳部２６、２６ａは、そのままでもよいが、美観上からは切除してもよい。図中２７、２７ａは両サイドシール、２８は折り込みである。
【００１０】
［参考例３］
図３（Ａ）〜（Ｃ）に基づいて参考例３を詳述する。この参考例３は、袋本体３０の充填口３０ａにおいて、前面３１及び後面３２の中央を摘んで両サイドのヒートシール３３、３３ａを矢印方向に引き寄せ、摘んだ部分に沿ってヒートシール３４、３４ａを途中まで行うと共にヒートシール３４、３４ａの内端からハ字状にヒートシール３５、３５ａを行うことにより上口にスパウト挿入口３６を形成し、ここに菱形形状のヒートシール部３８を有するスパウト３７を挿入して（Ｃ）に示すようにスパウト３７のヒートシール部３８とスパウト挿入口３６間をヒートシール３９したものである。
なお、図３において、三角形状の耳部３５ｂはそのままでもよいが、美観上からは切除してもよい。図中３０ｂは底シール、３０ｃは折り込みである。
【００１１】
【発明の効果】
本発明は以上のように、自立袋の充填口をヒートシールする場合、若しくはスパウトを充填口に取り付ける場合において、自立袋の底シール方向に対して直角方向のヒートシール部分を充填口側に形成したので、このヒートシールが袋の充填口部側においてリブとして作用することにより偏平化を阻止し、同時に自立性を高め、更に充填口側を拡張するため、立体感を出す効果がある。
【図面の簡単な説明】
【図１】  充填口部を十文字状にヒートシールした自立袋の説明図。
【図２】  充填口部のヒートシールを底シール方向と直角方向となるように一文字にヒートシールした自立袋の説明図。
【図３】  スパウトの菱形形状のヒートシール部分を底シールに対して同一方向となるように充填口内に取り付けると共に、袋本体の前面と後面にハ字状のヒートシールを形成した自立袋の説明図。
【図４】  スパウトの菱形形状のヒートシール部分を底シールに対して直角方向となるように充填口内に取り付けると共に、袋本体の前面と後面にハ字状のヒートシールを形成した自立袋の説明図。
【図５】  従来の自立袋の説明図。
【符号の説明】
１０  袋本体
１１  前面
１２  後面
１３、１３ａ  両サイドシール
１４  折り込み
１５  充填口
１６  十文字状ヒートシール
１７  底シール
【図１】
0003890109.tif 000002
【図２】
0003890109.tif 000003
【図３】
0003890109.tif 000004
【図４】
0003890109.tif 000005
【図５】
0003890109.tif 000006